(57)【要約】【課題】  記憶装置（２４）をハウジングアセンブリ（５２）に係止するための、記憶システム（１０）のための係止システム（２６）。【解決手段】  係止システム（２６）は、留め具（５０６）を有する第１の留め具ユニット（４５０）と、取外しアセンブリ（４５６）とを含む。ラッチ位置（５００）において、留め具（５０６）は記憶装置（２４）をハウジングアセンブリ（５２）に固定する。代替的に、ラッチ解除位置（５０２）において、留め具（５０６）により、記憶装置（２４）をハウジングアセンブリ（５２）から取外すことができる。取外しアセンブリ（４５６）は留め具（５０６）をラッチ位置（５００）とラッチ解除位置（５０２）との間で動かす。【選択図】  図１
2009076195.tif 000002
【特許請求の範囲】
【請求項１】
複数の記憶装置と、
ハウジングを含むハウジングアセンブリと、
ラッチ位置とラッチ解除位置との間で動くことができる第１の留め具を含む第１の留め具アセンブリとを含み、前記第１の留め具アセンブリは、前記ハウジングアセンブリの少なくとも一部を通って延びて、前記複数の記憶装置を前記ハウジングアセンブリに固定し、さらに、
第１の取付け開口を含むブラケットを含み、前記第１の取付け開口は、前記第１の留め具を受けて前記ブラケットを前記ハウジングアセンブリに固定し、前記ブラケットは、前記複数の記憶装置を受けて前記複数の記憶装置を前記ハウジングアセンブリに固定する、記憶システム。
【請求項２】
前記第１の取付け開口は、丸くされた部分とスロット部分とを含む、請求項１に記載の記憶システム。
【請求項３】
前記第１の留め具は、シャフト部および頭部を含み、前記頭部の断面は、前記シャフト部の断面よりも大きく、
前記第１の留め具の前記頭部は、前記第１の取付け開口の前記丸くされた部分を通って嵌合するよう適合され、前記第１の留め具の前記頭部は、前記第１の取付け開口の前記スロット部分を通って嵌合せず、
前記第１の留め具を前記ラッチ位置と前記ラッチ解除位置との間で動かすよう適合される第１の取外しシャフトを含み、第１の取外しアセンブリをさらに含み、
前記第１の取外しアセンブリは、前記第１の取外しシャフトに結合された第１の取外しハンドルをさらに含み、前記第１の取外しハンドルは、閉じた位置と開いた位置との間で動くことができ、前記第１の留め具は、前記第１の取外しハンドルが前記閉じた位置にあると前記ラッチ位置にあり、前記第１の留め具は、前記第１の取外しハンドルが前記開いた位置にあると前記ラッチ解除位置にあり、
前記第１の留め具アセンブリは、前記第１の留め具が前記ハウジングアセンブリから外れることを阻止する第１の留め具止めをさらに含み、
前記第１の留め具アセンブリは、前記第１の留め具の前記シャフト部の少なくとも一部を実質的に取囲む第１の弾性部分をさらに含み、前記第１の弾性部分は付勢されて、前記第１の留め具を前記ラッチ解除位置から前記ラッチ位置に動かし、
ラッチ位置とラッチ解除位置との間を動くことができる第２の留め具を含む、第２の留め具アセンブリをさらに含み、前記第２の留め具は、前記ハウジングアセンブリの少なくとも一部を通って延びて、前記複数の記憶装置を前記ハウジングアセンブリに固定し、
前記ブラケットは、前記第２の留め具を受ける第２の取付け開口をさらに含み、前記第２の取付け開口は、丸くされた部分とスロット部分とを有する、請求項２に記載の記憶システム。
【請求項４】
複数の記憶装置と、
ハウジングおよび第１の支持レールを含むハウジングアセンブリと、
複数のブラケットとを含み、前記複数のブラケットの各々は、前記複数の記憶装置の少なくとも１つを受け、さらに、
複数の留め具アセンブリを含み、前記留め具アセンブリの各々は、留め具と、留め具止めと、弾性部分とを含み、前記留め具アセンブリの各々に対して、前記留め具は、ラッチ位置とラッチ解除位置との間を動くことができ、前記留め具はシャフト部および頭部を有し、前記留め具は、前記ハウジングアセンブリの少なくとも一部を通って延び、前記複数の記憶装置を前記ハウジングアセンブリに固定し、前記留め具止めは、前記留め具が、前記ハウジングアセンブリから外れることを阻止し、前記弾性部分は、前記留め具の前記シャフト部の少なくとも一部を実質的に取囲み、前記弾性部分は付勢されて、前記留め具を前記ラッチ解除位置から前記ラッチ位置に動かし、さらに、
複数の取外しアセンブリを含み、前記取外しアセンブリの各々は、取外しシャフトおよび取外しハンドルを含み、前記取外しアセンブリの各々に対して、前記取外しシャフトは
、２個の留め具を前記ラッチ位置と前記ラッチ解除位置との間で動かすよう適合され、前記取外しハンドルは、前記取外しシャフトに結合されて、閉じた位置と開いた位置との間を動くことができ、前記取外しハンドルは、２個の留め具を前記ラッチ位置間で動かすよう適合される、記憶システム。
【請求項５】
前記複数のブラケットは、前記複数の留め具を受け、前記複数の記憶装置を前記ハウジングアセンブリに固定する、請求項４に記載の記憶システム。
【請求項６】
少なくとも１個の記憶装置を記憶システム内に係止するための方法であって、
ハウジングアセンブリを設けるステップと、
前記少なくとも１個の記憶装置を、前記ハウジングアセンブリの少なくとも一部を通って延びる第１の留め具を含む第１の留め具アセンブリを用いて前記ハウジングアセンブリに固定するステップとを含み、前記少なくとも１個の記憶装置は、前記第１の留め具がラッチ位置にあると前記ハウジングアセンブリに固定され、前記少なくとも１個の記憶装置は、前記第１の留め具がラッチ解除位置にあると前記ハウジングアセンブリから取外され得、前記方法はさらに、
前記ラッチ位置と前記ラッチ解除位置との間で前記第１の留め具を動かす第１の取外しシャフトを動かすことにより、前記第１の留め具を前記ラッチ位置と前記ラッチ解除位置との間で動かすステップとを含む、方法。
【請求項７】
前記少なくとも１個の記憶装置を受けて、前記少なくとも１個の記憶装置を前記ハウジングアセンブリに固定するブラケットを設けるステップを含む、請求項６に記載の方法。
【請求項８】
第１の取外しハンドルを前記第１の取外しシャフトに結合するステップを含み、前記第１の取外しハンドルは、閉じた位置と開いた位置との間で動くよう適合され、前記第１の留め具は、前記第１の取外しハンドルが前記閉じた位置にあると前記ラッチ位置にあり、前記第１の留め具は、前記第１の取外しハンドルが前記開いた位置にあると前記ラッチ解除位置にある、請求項７に記載の方法。
【請求項９】
第１の弾性部分を用いて、前記第１の留め具を前記ラッチ解除位置から前記ラッチ位置に促すステップをさらに含む、請求項６に記載の方法。
【請求項１０】
前記少なくとも１個の記憶装置を受けるブラケットを設けるステップを含み、前記ブラケットは、前記第１の留め具を受けて前記ブラケットを前記ハウジングアセンブリに取付ける第１の取付け開口を含む、請求項６に記載の方法。
【請求項１１】
少なくとも１個の記憶装置を記憶システム内に係止するための方法であって、
ハウジングアセンブリを設けるステップと、
ラッチ位置とラッチ解除位置との間で動くことのできる第１の留め具を含む、第１の留め具アセンブリを設けるステップとを含み、前記第１の留め具は、前記ハウジングアセンブリの少なくとも一部を通って延び、前記方法はさらに、
前記少なくとも１個の記憶装置を前記ハウジングアセンブリにブラケットを用いて固定するステップを含み、前記ブラケットは、前記第１の留め具を受ける第１の取付け開口を含み、前記ブラケットは、前記少なくとも１個の記憶装置を受け、前記少なくとも１個の記憶装置を、前記第１の留め具が前記ラッチ位置にあると前記ハウジングアセンブリに固定する、方法。
【請求項１２】
前記第１の留め具を前記ラッチ位置と前記ラッチ解除位置との間で動かす第１の取外しシャフトを設けることにより、前記第１の留め具を前記ラッチ位置と前記ラッチ解除位置との間で動かすステップを含む、請求項１１に記載の方法。
【請求項１３】
第１の取外しハンドルを前記第１の取外しシャフトに結合させるステップを含み、前記第１の取外しハンドルは、閉じた位置と開いた位置との間を動くことができ、前記第１の留め具は、前記第１の取外しハンドルが前記閉じた位置にあると前記ラッチ位置にあり、前記第１の留め具は、前記第１の取外しハンドルが前記開いた位置にあると前記ラッチ解除位置にある、請求項１２に記載の方法。
【発明の詳細な説明】
【技術分野】
【０００１】
この発明は、一般に、データを記憶するための記憶装置に関する。より特定的に、この発明は、複数の記憶装置の高密度パッケージングを可能にする、速やかに取外しできる係止システムに関する。
【背景技術】
【０００２】
ディスクドライブ、または他の記憶装置は、情報をデジタル形式で記憶するために、コンピュータおよびデータ処理システムにおいて広く用いられている。従来のディスクドライブでは、回転するデータ記憶ディスクの記憶面に極めて近接して、空気軸受上でトランスデューサが「浮上」する。記憶表面は、トランスデューサによって記録され、再び読出され得る複数の記憶磁区を有する、磁性材料からなる薄膜を有する。
【０００３】
コンピュータの使用が増大し続けると、それに応じて、より多くの数のディスクドライブ、または他の記憶装置に十分な記憶容量を確保する必要性が増大してきた。多くの場合、多数の記憶装置が大きな記憶システム内に互いに近接してともにパッケージされて、必要とされる全体記憶容量を最小化する。これらの記憶システム内では、多くの場合、多数の記憶装置が、より大きな外枠内に次々と積み重ねられ、並べて位置付けられる。典型的に、記憶システムを支持構造に固定するために、ねじ山を付した留め具が用いられる。時折、個々の記憶装置を記憶システムから取外して試験し、修理し、または取替える必要が生じる。残念なことに、記憶システム周囲の空間は、留め具を設置しかつ取外すための器具に必要とされる。その結果、記憶システムは、より大きなものにならざるを得ず、または、含む記憶装置をより少なくしなければならない。
【０００４】
上に述べたことから、貴重な記憶容量を犠牲にすることなく、記憶装置を構造支持物に取付けて、それから取外すための、容易なかつ信頼できる方法が必要とされる。加えて、記憶装置の高密度パッケージングを可能にする係止システムを提供する必要がある。さらに、製造、組立、および使用が比較的簡単でありかつ費用効果の高い係止システムを提供する必要がある。
【発明の開示】
【課題を解決するための手段】
【０００５】
この発明は、記憶装置をハウジングアセンブリに係止するための、記憶システムのための係止システムに向けられる。係止システムは、留め具を有する第１の留め具ユニットと、取外しアセンブリとを含む。ラッチ位置において、留め具は記憶装置をハウジングアセンブリに固定する。代替的に、ラッチ解除位置において、留め具は、記憶装置がハウジングアセンブリから取外され得るようにする。取外しアセンブリは、留め具をラッチ位置とラッチ解除位置との間で動かす。
【０００６】
留め具は、シャフト部および頭部を含む。一実施例において、頭部は、シャフト部の断面よりも大きな断面を有する。留め具に対し、留め具止めおよび弾性部分が固定される。留め具止めは、頭部から離れて、シャフト部の端部に固定される。弾性部分は、留め具のシャフト部の少なくとも一部を実質的に取囲む。取外しアセンブリは、留め具をラッチ位置とラッチ解除位置との間で動かす取外しシャフトを含む。取外しシャフトは、留め具止めに隣接して位置付けられた溝を有する。留め具止めは、平らな面と斜角を付けた面とを有する。斜角を付けた面は、取外しシャフトの溝に嵌合するよう位置付けられる。
【０００７】
取外しアセンブリは、取外しシャフトに結合された取外しハンドルを含むこともできる。取外しハンドルは、閉じた位置と開いた位置との間で動くことができる。取外しハンドルが、開いた位置に動くと、取外しシャフトが上方に動く。取外しシャフトが上方に動くと、溝の壁が留め具止めと接触する。次いで、この留め具止めが弾性部分を圧縮して、留め具をラッチ位置からラッチ解除位置に動かす。
【０００８】
記憶装置をハウジングアセンブリに固定するために、ブラケットを用いることができる。一実施例において、ブラケットは、留め具を受ける取付け開口を含む。留め具がラッチ解除位置にあると、ブラケットを留め具から取外すことができる。このとき、ブラケットおよび取付けられた記憶装置を、速やかにかつ容易にハウジングアセンブリから取外すことができる。取外しハンドルを再び閉じた位置に動かすと、留め具は再びラッチ位置に動き、ブラケットおよび取付けられた記憶装置は、ハウジングアセンブリに再び固定される。
【０００９】
この発明は、また、記憶システムおよび記憶システム内に少なくとも１個の記憶装置を係止するための方法に向けられる。
【００１０】
この発明の新規の特徴に加え、この発明自体は、その構造および動作の両方に関し、同じ参照記号が同じ部分を指す添付の説明とともに読まれると、添付の図面から最もよく理解されるであろう。
【発明を実施するための最良の形態】
【００１１】
図１を最初に参照すると、記憶システム１０は、ハウジング１２、少なくとも１本の支持レール１４、複数のブラケット１６、流体源１８、電源２０、コントローラ２２、複数の記憶装置２４、および係止システム２６を含む。図１に示される記憶システム１０は、標準１９インチラック外枠（図示せず）に取付けられるよう、サイズおよび形状が決められる。代替的に、記憶システム１０は、他のサイズのラック外枠またはスタンドアロンのテーブルトップ構成用に設計され得る。
【００１２】
ハウジング１２は、記憶システム１０の構成要素を支持する。図１において、ハウジング１２は、一般的に、矩形のフレームに形成され、記憶システム１０の構成要素を取囲む。ハウジング１２は、金属または別の好適な剛性の構造で形成され得る。ハウジング１２は、（ｉ）ＬＣＤオペレータ制御パネル３０、左通気孔３２、およびそれと離して置かれた右通気孔３４を有するハウジング前面カバー２８と、（ii）ハウジング後面３６と、（iii）ハウジング左面３８と、（iv）ハウジング右面４０と、（ｖ）ハウジング右面３８とハウジング左面４０との間を横切って延びる非励振中間壁４２とを含み得る。中間壁４２は、流体源１８、電源２０、およびコントローラ２２を記憶装置２４から隔てる。
【００１３】
ハウジング前面カバー２８は、流体源１８、電源２０、およびコントローラ２２から最も離れたハウジング前面に置かれる。ハウジング前面カバー２８は、ハウジング前面の周囲に確実に嵌合して、ハウジング前面を覆うよう適合される。ハウジング前面カバー２８はさらに、支持レール１４、ブラケット１６、および記憶装置２４を記憶システム１０内に固定する。
【００１４】
支持レール１４はハウジング１２に結合され、ブラケット１６をハウジング１２内に固定する。図２は、ハウジング前面カバー２８が取外された、記憶システム１０の正面平面図を示す。図２に示されるとおり、記憶システム１０は２本の支持レール１４を含み、各支持レール１４は、取付け面４４、チャネル面４６、上部４８、および底部５０を含む。ブラケット１６は、取付け面４４に沿って支持レール１４に固定され得る。代替的に、ブラケット１６は、ハウジング１２に固定され得る。
【００１５】
ハウジング１２および支持レール１４の組合せが、この明細書においてハウジングアセンブリ５２とまとめて呼ばれることに注目されたい。
【００１６】
図２は、支持レール１４の一方が左ハウジング面３８と協働して左レールチャネル５４を規定し、支持レール１４の他方が右ハウジング面４０と協働して右レールチャネル５６を規定することを示す。レールチャネル５４および５６は、記憶装置２４を冷却するために用いられる。より特定的に、図１および図２を参照すると、記憶装置２４からの熱は、伝導を介してブラケット１６に伝達され、その後、支持レール１４に伝達される。その後、流体が、流体源１８からレールチャネル５４および５６を通して方向付けられ、対流を介して支持レール１４を冷却する。この実施例では、記憶装置１４から熱を伝達するために伝導を用いるために、記憶装置１４間の空間は最小化され得る。その結果、より多くの記憶装置２４を所与の領域内に位置付けることができ、記憶システム１０は比較的多量のデータを記憶することができる。
【００１７】
図１に示されるように、各支持レール１４は、５個のブラケット１６を受けるよう設計され得る。代替的に、各支持レール１４は、記憶システム１０の特定の要件に依存して、５個より多くのまたは５個未満のブラケット１６を受けるよう設計され得る。図１において、ブラケット１６は、個々のブラケット１６間の水平間隔を最小に取って、支持レール１４上に取付けられる。このことにより、より小さな物理空間内により多くのデータが記憶され得ることを助ける。この発明のブラケット１６間の水平距離は、約０．３７５インチ未満であり、ブラケット間の水平距離は、約０．０１インチよりも大きい。しかしながら、他の距離を用いることもできる。図面に示される実施例において、この距離は、約０．０５インチである。記憶システム１０が、２本未満または２本より多くの支持レール１４を有して設計され得ることに注目されたい。
【００１８】
図２に示されるとおり、各支持レール１４は、それぞれのチャネル５４および５６内に片持ち梁状に突出する、１つ以上のフィン５８を含み得る。フィン５８は、支持レール１４からの熱の伝達を高める。なぜなら、チャネル５４および５６を通って流れる流体に曝される支持レール１４の表面積が増すからである。
【００１９】
各支持レール１４の前端に、支持レール１４、取付けられた任意のブラケット１６、および記憶装置２４をハウジング１２から容易に取外すことを可能にするレールハンドル６０が固定され得る。図２に示されるように、レールハンドル６０は実質的にＣ字型であり、チャネル面４６に隣接した上部４８および底部５０付近において、支持レール１４に固定される。レールハンドル６０は、回動して閉じた位置と開いた位置との間で変わるよう設計される。図２に示されるように、閉じた位置にあると、レールハンドル６０は支持レール１４のチャネル面４６から実質的に垂直に延びる。レールハンドル６０は、ハウジング前面（すなわち開放面）を通って約９０°だけ、レールチャネル５４および５６から外側に軸回転するよう設計され、この開いた位置に保持され得る（図示せず）。レールハンドル６０を、それが開いた位置にある間に引くことによって、支持レール１４、取付けられた任意のブラケット１６、および記憶装置２４をハウジング１２から容易に取外すことができる。使用しないときは、レールハンドル６０を傾けて閉じた位置に戻す。
【００２０】
ブラケット１６は、記憶装置２４をハウジングアセンブリ５２に固定する。記憶装置２４の各々は、記憶システム１０内に存在し得るブラケット１６の１つに嵌合する。ブラケット１６の各々は、複数の記憶装置２４を保持するよう設計される。記憶装置２４を有するブラケット１６は、次いで、支持レール１４の１つに固定され得、それにより、記憶装置２４を支持レール１４に効果的に固定する。図１に示される実施例では、１５個の記憶装置２４を第１の支持レール１４に固定するために５個のブラケット１６が用いられ、１
５個の記憶装置２４を第２の支持レール１４に固定するために５個のブラケット１６が用いられる。したがって、３個の記憶装置２４が、各ブラケット１６内において支持レール１４に固定され得る。代替的に、各ブラケット１６は、３個より多くのまたは３個未満の記憶装置２４を保持するよう設計され得る。加えて、記憶システム１０は、１０個より多くのまたは１０個未満のブラケット１６を有して設計され得る。
【００２１】
ブラケット１６および支持レール１４は、剛性の材料で形成される。ブラケット１６および支持レール１４は、記憶装置２４の伝導冷却を高めるために、比較的高い熱伝導係数を有する材料で形成され得る。たとえば、ブラケット１６および支持レール１４は、銅合金１１０等の銅の合金またはアルミニウムの合金で形成され得る。代替的に、同様の高い熱伝導を有する他の材料を用いてもよい。この設計により、ブラケット１６および支持レール１４は、記憶装置２４の動作から生じた熱の多くを記憶装置２４から支持レール１４に伝達することができる。
【００２２】
伝導を高めるために、（ｉ）記憶装置２４とそれぞれのブラケット１６との取付け界面に、および（ii）ブラケット１６と支持レール１４との取付け界面に、熱ガスケット（図示せず）を用いることができる。
【００２３】
流体源１８は、記憶システム１０を通って動いて記憶システム１０から熱を除去する流体をもたらす。図１において、流体源１８は、主にレールチャネル５４および５６を介して空気等の流体を引込んで記憶装置２４を冷却する、二重化したファンを含む。代替的に、たとえば、流体をレールチャネル５４および５６を通して噴出させることができる。さらに代替的に、記憶システム１０を冷却するために、１つのファンを用いることができる。
【００２４】
図１に示された実施例において、流体源１８はまた、記憶装置２４の周辺から比較的少量の流体を引込み、記憶装置２４に少しの対流冷却をもたらすことに注目されたい。別の実施例において、記憶システム１０は、記憶装置２４に対して、主に対流冷却を用いるよう設計され得る。
【００２５】
電源２０は、記憶システム１０および記憶装置２４に直流をもたらして、記憶装置２４がリモートコンピュータシステム（図示せず）からアクセスされると、それらを動作させて制御する。電源２０は、図１に示されるとおり、ハウジング後面３６とハウジング右面４０とに隣接して取付けられ得る。代替的に、冗長性をもたらすために、２つの電源を用いることができる。この設計により、記憶装置１０は、電源のうちの１つが故障した場合も動作することができる。
【００２６】
図１において、記憶装置２４の各々はディスクドライブである。記憶装置２４の各々は、パワーオフモード、待機モード、遊休モード、および書込／読出モードを交互に取るよう、コントローラ２２によって制御され得る。図１に示されるコントローラ２２は、ハウジング右面４０の付近にかつ電源２０に隣接して、取付けられ得る。パワーオフモードでは、記憶装置２４には給電されない。待機モードでは、記憶装置２４には給電されるが、記憶ディスクは回転しない。遊休モードでは、記憶装置２４に給電されて記憶ディスクが回転するが、書込または読出動作は行なわれない。書込／読出モードでは、記憶装置２４に給電され、記憶ディスクが回転し、書込または読出動作が行なわれる。記憶装置２４によって消費される電力、およびそれにより記憶装置２４から生じる熱は、４つのモードの各々に進むにつれて増大する。
【００２７】
図１に示される記憶システム１０は、データを記憶するために複数の記憶装置２４を含む。リモートコンピュータシステムは、記憶システム１０にアクセスして、記憶装置２４
に含まれるデータの読出および書込を行なうよう設計され得る。記憶装置２４が動作していると、それらは熱を生じ、その熱は、記憶装置が引続き、効果的にかつ効率的に動作できるよう、記憶装置２４から除去されなければならない。
【００２８】
一実施例において、リモートコンピュータシステムは、一度に限られた数の記憶装置２４にしかアクセスしない。図１において、流体源１８は、書込／読出モードでは１０個の記憶装置２４を、データ転送中の待機モードでは２０個の記憶装置２４を、というように、記憶システム１０を適切に冷却するよう設計される。代替的に、１０個より多くのまたは１０個未満の記憶装置２４が一度に書込／読出モードをとってよい。動作する記憶装置２４の数が変化するために、記憶システム１０内で所望する冷却を達成するために、流体源１８からの流体量および流速を変化させることができる。
【００２９】
記憶システム１０内で用いられる記憶装置２４の数は、記憶システム１０の記憶要件に沿うように変化させることができる。たとえば、図１において、記憶システム１０は、３０個の記憶装置２４を含む（図１では上の１０個の記憶装置２４を見ることができ、図２では前面の６個の記憶装置２４を見ることができる）。代替的に、たとえば、記憶システム１０は、３０個より多くのまたは３０個未満の記憶装置２４を有して設計され得る。たとえば、記憶システム１０は、わずか１５個の記憶装置２４を有して設計され得る。
【００３０】
図３は、取付けられたブラケット１６および記憶装置２４を有する第１の支持レール１４がハウジング前面を通じてハウジング１２から取外された後の、取付けられたブラケット１６および記憶装置２４を有する第２の支持レール１４がハウジング１２内に残った、記憶システム１０を示す。ハウジング１２は他の３面で閉じており、記憶システム１０の他の要素のすべてを実質的に取囲む。ハウジング前面は開いており、取付けられたブラケット１６および記憶装置２４を有する支持レール１４が上述のとおり、レールハンドル６０を用いることによってハウジング１２から容易に取外され得るようにする。図３に示されるとおり、取付けられたブラケット１６および記憶装置２４を有する支持レール１４がハウジング１２の外にある間に、記憶装置２４およびブラケット１６を、試験、修理、および／または取替えのために支持レール１４から容易に取外すことができる。任意の記憶装置２４が必要に応じて試験され、修理され、および／または取替えられた後に、取付けられたブラケット１６および記憶装置２４を有する支持レール１４を、ハウジング１２内の位置に容易にスライドさせて戻すことができる。
【００３１】
図面に示されるとおり、ハウジング１２は、取付けられたブラケット１６および記憶装置２４を有する２本の支持レール１４を受けるよう、サイズを決めることができる。取付けられたブラケット１６および記憶装置２４を有する２本の支持レール１４を受けるよう、ハウジング１２を設計することにより、記憶システム１０は、取付けられたブラケット１６および記憶装置２４を有する支持レール１４を１本しか収容しない同等のシステムに比べ、実質的により多くのデータを記憶することができる。ハウジング１２のサイズは、個々の記憶システム１０の必要に応じて、取付けられたブラケット１６および記憶装置２４を有する支持レール１４を２本より多くまたは２本未満収容するように、変更することができる。
【００３２】
各支持レール１４は、中間壁４２上の中間壁コネクタ２０２に電気的に接続するレールコネクタ２００を含む。支持レール１４がハウジング１２内にあると、コネクタ２００および２０２は協働して、コントローラ２２を特定の支持レール１４に取付けられた記憶装置２４に電気的に接続する。たとえば、コネクタ２００および２０２の一方は１本以上の電気ピンを含むことができ、コネクタ２０２および２００のうちの他方は１個以上のピン受けを含むことができる。コネクタ２００および２０２により、支持レール１４をハウジング１２から容易に取外し、かつ、ハウジング１２に容易に取付けることができる。
【００３３】
図４は、３個の記憶装置２４を支持レール１４に固定する１個のブラケット１６を示す。各ブラケット１６内の記憶装置２４の実際の数は、特定の記憶システム１０の要件に沿うよう、変更することができる。ブラケット１６のサイズもまた、特定の記憶システム１０の要件に依存して、３個より多くのまたは３個未満の記憶装置２４を受けるよう変更することができる。各ブラケット１６内に、記憶装置２４が各々の上に垂直に積み重ねられる。各記憶装置２４は、上面３００と底面３０２とを含む１対の平面を有する。記憶装置２４は、１個の記憶装置２４の上面３００が別の記憶装置２４の底面３０２の直下となるように、ブラケット１６内に固定される。一実施例において、記憶装置２４は、この位置に置かれ、表面３００と３０２との間の距離は、約０．０１インチよりも大きい。加えて、記憶装置２４は、表面３００と３０２との間の距離が約０．３７５インチ未満であるように位置付けられる。図面に示される実施例において、この距離は、約０．０５インチである。しかしながら、他の距離を用いることもできる。記憶装置２４間の、この限定された距離は、今あるたいていの記憶システムにおける距離よりも実質的に小さい。このため、より一層小さな物理環境内に、より多量のデータを記憶することができる。
【００３４】
図４はまた、ねじ山を付したボルト等のドライブ留め具３０４が、ブラケット１６を通って延び、記憶装置２４をブラケット１６に固定する様子を示す。代替的に、他のタイプの留め具を用いることもできる。
【００３５】
図５は、支持レール１４、１個のブラケット１６、および３個の記憶装置２４の斜視図を示す。図５において、ブラケット１６は実質的にＵ字型であり、３個の記憶装置２４を確実にブラケット１６内で受ける。各ブラケット１６は、近端４００と、近端４００から実質的に垂直に延びる２本の伸長アーム４０２とを有する。各ブラケット１６の近端４００は、支持レール１４の取付け面４４に面するよう位置付けられる。その後、各ブラケット１６の近端４００は、支持レール１４の取付け面４４に固定される。
【００３６】
図５において、各記憶装置２４の各面（１つの面のみを図示）は、３個の内ねじ山を付したドライブ開口４０４を含み、各ブラケット１６の伸長アーム４０２の各々は、各記憶装置２４のための３個のブラケット開口４０６を含む。この設計により、ドライブ留め具３０４（１個のみを図５に示す）を用いて記憶装置２４をブラケット１６に固定することができる。
【００３７】
複数の電気的コネクタ４１０を有する回路板４０８を、ブラケット１６の近端４００の内壁に隣接して置くことができる。電気的コネクタ４１０は、記憶装置２４とブラケット１６との間に電気的接続をもたらす。電気的コネクタ４１０は、記憶装置２４の後部に沿って置かれ、対応する記憶装置コネクタ４１１に接続するよう適合される。たとえば、コネクタ４１０および４１１の一方は１本以上の電気ピンを含むことができ、コネクタ４１１および４１０の他方は１個以上のピン受けを含むことができる。コネクタ４１０および４１１により、記憶装置２４をブラケット１６から容易に取外し、かつ、それに容易に取付けることができる。
【００３８】
取付け面４４の下方端に沿って、支持レール１４は、中間壁コネクタ２０２（図３に図示）を介してレールコネクタ２００（図３に示す）およびコントローラ２２（図３に示す）に電気的に接続される支持レールコネクタ４２０を含む。各支持レールコネクタ４２０は、水平部分４２２と垂直部分４２４とを有する。水平部分４２２は、支持レール１４の取付け面４４に固定されて、取付け面４４から実質的に垂直に延びる。垂直部分４２４は、水平部分４２２の端部付近を、支持レール１４の取付け面４４から最も離れて、垂直に上方に延びる。各支持レールコネクタ４２０は、回路板４０８上のブラケットコネクタ（図示せず）に電気的に接続して、回路板４０８および記憶装置２４を電気的コネクタ４１
０および記憶装置コネクタ４１１を介してコントローラ２２（図３に図示）に電気的に接続するよう適合される。たとえば、一方の支持レールコネクタ４２０は１本以上の電気ピンを含むことができ、他方のコネクタは１個以上のピン受けを含むことができる。支持レールコネクタ４２０により、ブラケット１６を下方にスライドして回路板４０８をコントローラ２２に電気的に接続するか、または上方にスライドして回路板４０８の電気的接続をコントローラ２２から断つことができる。この設計により、回路板４０８は、ブラケット１６が支持レール１４に機械的に取付けられるのとほぼ同時に、電気的に接続され得る。
【００３９】
図５は、１０個の留め具ユニット４５０を含む係止システム２６の一部を示す。留め具ユニット４５０は、ハウジングアセンブリ５２の一部を通って延び、そこに固定される。図５に示されるとおり、複数の留め具ユニット４５０が支持レール１４を通って延び得る。代替的に、複数の留め具ユニット４５０は、ハウジング（図５には示さず）の一面を通って延びるよう位置付けられ得る。
【００４０】
図５に示されるとおり、支持レール１４は、支持レール１４に固定されるブラケット１６の各々に対して２個の留め具ユニット４５０を収容するよう設計され得る。留め具ユニット４５０は、２個の留め具ユニット４５０がブラケット１６の伸長アーム４０２の各々の付近の近端４００に沿ってブラケット１６を固定するよう位置付けられる。代替的に、各ブラケット１６に対する留め具ユニット４５０の実際の数および各ブラケット１６に対する留め具ユニット４５０の位置は、個々の記憶システム１０の特定の必要性に沿うよう、変化させることができる。
【００４１】
図５において、支持レール１４は、５個のブラケット１６（１個のみを図示）を支持レール１４に固定するための１０個の留め具ユニット４５０を含む。記憶システム１０は２本の支持レールを有し得るため、記憶システム１０内には２０個の留め具ユニット４５０があり得る。代替的に、記憶システム１０は、２０個より多くのまたは２０個未満の留め具ユニット４５０を有して設計され得る。
【００４２】
留め具ユニット４５０および留め具ユニット４５０内の構成要素の設計を変えることができる。図５において、各留め具ユニット４５０は、第１の留め具アセンブリ４５２、第２の留め具アセンブリ４５４、および取外しアセンブリ４５６を含む。代替的に、各留め具４５０は、留め具アセンブリを１個だけ含むよう設計され得る。
【００４３】
図６は、支持レール（図６では示さず）のない複数の留め具ユニット４５０を含む、係止システム２６の斜視図を示す。図７は、ラッチ位置５００にある、図６からの留め具ユニット４５０のうちの１個の拡大斜視図であり、図８は、ラッチ解除位置５０２にある、図６からの留め具ユニット４５０のうちの１個の拡大斜視図である。この実施例において、留め具ユニット４５０は、第１の留め具アセンブリ４５２と、第１の留め具アセンブリ４５２から離して置かれた第２の留め具アセンブリ４５４と、取外しアセンブリ４５６とを含む。さらに、留め具アセンブリ４５２および４５４は、第１の留め具アセンブリ４５２が第２の留め具アセンブリ４５４の上方に離して位置付けられて、垂直に直線上に並ぶ。
【００４４】
留め具アセンブリ４５２および４５４の各々は、留め具５０６、止め５０８、および弾性部分５１０を含む。この実施例において、留め具５０６は、肩付きねじといくぶん類似した形状を有し、頭部５１２およびシャフト部５１４を含む。頭部５１２は、各留め具５０６のシャフト部５１４よりも直径が大きい。
【００４５】
止め５０８は、留め具５０６の遠端に固定され、止め５０８と支持レール１４との間に
位置付けられた弾性部分５１０により、留め具５０６を支持レール１４（図５に示す）内に保持する。この実施例において、止め５０８は、ほぼ環状の形状を有し、留め具５０６のシャフト部５１４の遠端上に嵌合する。止め５０８は、多くの方法でシャフト５１４上に維持され得る。たとえば、止め５０８は、加圧されてシャフト部５１４と嵌合し、または、シャフト部５１４上にねじ止めされ、または接着剤でシャフト部５１４に固着され得る。この実施例において、止め５０８は、平らな面５１６と、取外しアセンブリ４５６に面する斜角を付けた端部５１８とを含む。取外しアセンブリ４５６は、以下に述べるように、留め具アセンブリ４５２および４５４がラッチ位置５００とラッチ解除位置５０２との間で動くよう、平らな面５１６および斜角を付けた端部５１８と相互作用する。
【００４６】
加えて、止め５０８の外周は、支持レール１４から突起（図示せず）を受けるノッチ５２０を含む。この設計により、突起は、留め具アセンブリ４５２および４５４を支持レール１４に対してスライドさせる間に、止め５０８ならびに留め具アセンブリ４５２および４５４が回転することを阻止し得る。
【００４７】
弾性部分５１０は、留め具５０６をラッチ解除位置５０２からラッチ位置５００に動かし、留め具５０６をラッチ位置５００に維持する。この実施例において、弾性部分５１０は、留め具５０６のシャフト部５１４を取巻く。さらに、この実施例において、各弾性部分５１０はコイルばねである。代替的に、たとえば、各弾性部分は、ゴムのグロメット等の弾性材料の一片であり得る。留め具５０６がラッチ解除位置５０２にあるとき、弾性部分５１０は、留め具５０６がラッチ位置５００にあるときよりも一層圧縮されることに注目されたい。
【００４８】
取外しアセンブリ４５６は、留め具アセンブリ４５２および４５４をラッチ位置５００とラッチ解除位置５０２との間で同時に動かすよう用いられる。取外しアセンブリ４５６の各々は、取外しシャフト５２２、取外しハンドル５２４、および取外しコネクタ５２６を含む。
【００４９】
取外しシャフト５２２は、留め具アセンブリ４５２および４５４の２つをラッチ位置５００とラッチ解除位置５０２との間で同時に動かすよう、結合されかつ用いられる。この実施例において、取外しシャフト５２２は円形のピンと同様の形状であり、シャフト上部５２８、シャフト底部５３０、第１の溝５３２、および離して置かれた第２の溝５３４を含む。取外しシャフト５２２は実質的に円形の断面を有し、溝５３２および５３４の各々は、取外しシャフト５２２の長手方向軸５３６に対して約６０°の角度で円形の断面をなして刻まれ得る。代替的に、溝５３２および５３４は、取外しシャフト５２２の長手方向軸５３６に対して６０°よりも大きいか、または６０°未満で、取外しシャフト５２２に刻まれ得る。溝５３２および５３４の各々は、止め５０８の斜角を付けた端部５１８を受けるのに十分な大きさである。
【００５０】
第１の溝５３２と第２の溝５３４との間の間隔は、第１の留め具アセンブリ４５２と第２の留め具アセンブリ４５４との間の間隔にほぼ相当する。図７に示されるように、この設計により、取外しハンドル５２４が閉じた位置５４０にあると、第１の留め具アセンブリ４５２に対する止め５０８は第１の溝５３２内にあり、第２の留め具アセンブリ４５４の止め５０８は第２の溝５３４内にある。このことにより、第１の留め具アセンブリ４５２の弾性部分５１０は第１の留め具アセンブリ４５２をラッチ位置５００に動かすことができ、第２の留め具アセンブリ４５４の弾性部分５１０は第２の留め具アセンブリ４５４をラッチ位置５００に動かすことができる。
【００５１】
この実施例において、取外しシャフト５２２は、留め具アセンブリ４５２および４５４に対して実質的に垂直に位置付けられる。この設計において、取外しハンドル５２４は取
外しシャフト５２２を留め具アセンブリ４５２および４５４に対して上方に動かす。このことにより、留め具アセンブリ４５２および４５４の各々に対し、取外しシャフト５２２のそれぞれの溝５３２および５３４の壁が止め５０８の斜角を付けた端部５１８と係合し、弾性部分５１０からの付勢力を圧倒して、止め５０８および留め具５０６をラッチ解除位置５０２に動かす。図８は、取外しハンドル５２４が開いた位置５４２にあり、止め５０８が溝５３２および５３４から少なくとも部分的に動かされて、弾性部分５１０が一層圧縮されて、留め具５０６が半径方向に外側へ、ラッチ解除位置５０２に動かされることを示す。
【００５２】
代替的に、たとえば、留め具ユニット４５０は、取外しハンドル５２４が取外しシャフト５２２を下方にまたは側方に動かして、留め具５０６をラッチ解除位置５０２に動かすよう設計され得る。さらに代替的に、別個の取外しアセンブリ４５６が留め具アセンブリ４５２および４５４の各々に対して用いられ得る。
【００５３】
示された実施例では、留め具５０６をラッチ位置５００に動かすために、取外しハンドル５２４を閉じた位置５４０まで回転させる。この間に、弾性部分５１０が止め５０８を溝５３２および５３４の壁に接するよう促し、取外しシャフト５２２を下方に促す。このことにより、止め５０８は溝５３２および５３４内に入ることができ、留め具５０６は半径方向に内側へ、ラッチ位置５００に動くことができる。
【００５４】
取外しハンドル５２４は取外しシャフト５２２を動かして、取外しシャフト５２２が留め具アセンブリ４５２および４５４を動かすようにする。取外しハンドル５２４は、図７に示される閉じた位置５４０と図８に示される開いた位置５４２との間で動かされる。閉じた位置５４０において、取外しシャフト５２２は、止め５０８がそれぞれの溝５３２および５３４内にあるよう、位置決めされる。このことにより、弾性部分５１０が動いて、留め具５０６をラッチ位置５００に保持することができる。代替的に、開いた位置５４２において、取外しシャフト５２２は上方に動き、取外しシャフト５２２の溝５３２および５３４の各々の壁が止め５０８と係合し、留め具５０６をラッチ解除位置５０２に促す。
【００５５】
この実施例では、閉じた位置５４０において、取外しハンドル５２４は取外しシャフト５２２に対して実質的に垂直である。代替的に、取外しハンドル５２４は、取外しコネクタ５２６を中心として取外しシャフト５２２に対して回転し、開いた位置５４２に至ることができる。開いた位置５４２において、取外しハンドル５２４は、取外しシャフト５２２と実質的に平行であり、一直線となる。
【００５６】
取外しハンドル５２４は、近端５４４と遠端５４６とを含む。近端５４４は、取外しシャフト５２２のシャフト上部５２８の周囲に延びる２本のアームを含む。取外しハンドル５２４のアームの各々は、取外しシャフト５２２のシャフト上部５２８付近のシャフト開口（図示せず）に対応するための、小さなハンドル開口５４８を有する。取外しハンドル５２４の近端５４４は、ハンドル開口５４８を超えて延びるカム領域５５０を含む。以下に論じるとおり、取外しハンドル５２４が開いた位置５４２へと回転する間に、カム領域５５０は支持レール１４の上部４８と係合する。このことにより、取外しハンドル５２４および取外しシャフト５２２は、支持レール１４ならびに留め具アセンブリ４５２および４５４に対して上方に動く。
【００５７】
代替的に、取外しハンドル５２４は、取外しシャフト５２２を動かす別のタイプの装置であり得る。たとえば、取外しハンドルは、取外しシャフトまたは作動器上の外ねじ山を付した表面と係合する、内ねじ山を付したナットであり得る。
【００５８】
取外しコネクタ５２６により、取外しハンドル５２４は、取外しシャフト５２２に対し
、動いて回転することができる。図７および図８に示される実施例において、取外しコネクタ５２６は、取外しハンドル５２４の近端５４４と取外しシャフト５２２のシャフト上部５２８を通って延びる中空のピンである。代替的に、たとえば、取外しコネクタ５２６は、ハンドルとシャフトとの間で軸点を形成することのできる任意の留め具であり得る。
【００５９】
この実施例において、取外しハンドル５２４は、閉じた位置５４０と開いた位置５４２との間で、取外しコネクタ５２６を中心として約９０°回転することができる。代替的に、取外しハンドル５２４は、取外しコネクタ５２６を中心として、９０°よりも大きく、または９０°未満、回転するよう設計され得る。
【００６０】
図９および図１０は、ブラケット１６の一実施例の代替的斜視図である。図９はまた、１対の留め具５０６を示す。この実施例において、伸長アーム４０２の各々は、記憶装置（図９および図１０には示さず）がブラケット１６内に固定される際に、それらを垂直に支持することを助ける、装置支持物６００を含む。記憶装置支持物６００は、ブラケット１６の伸長アーム４０２の各々の底縁に沿って、ブラケット１６の遠端付近に置かれる。
【００６１】
加えて、各ブラケット１６は、ブラケット１６の近端４００を通って延び、位置付けられる、一連の取付け開口６０２を含む。各取付け開口６０２は、留め具５０６の１個を受ける。留め具５０６に対応するために、ブラケット１６は、２個の上方の取付け開口６０４と、２個の下方の取付け開口６０６とを含む。下方の取付け開口６０６の各々は、丸くされた部分６０８とスロット部分６１０とを有する。上方の取付け開口６０４の各々は、円形部分６１２とスロット部分６１４とを有する。上方の取付け開口６０２の各々の上部に沿って、円形部分６１２から上方に延びるスロット部分６１４が置かれる。下方の取付け開口６０６については、スロット部分６１０が丸くされた部分６０８から上方に延びる。
【００６２】
留め具５０６および取付け開口６０２は、留め具５０６の各々の頭部５１２およびシャフト部５１４が、対応する取付け開口６０２の円形部分６１２または丸くされた部分６０８を通って完全に嵌合するように、サイズ、形状、および間隔が決められる。各留め具５０６の頭部５１２ではなく、シャフト部５１４のみが、対応する取付け開口６０２のスロット部分６１０および６１４を通って嵌合するよう適合される。ラッチ解除位置において、留め具５０６の頭部５１２およびシャフト部５１４は、対応する取付け開口６０２の円形部分６１２または丸くされた部分６０８を通るよう嵌合することができる。次に、ブラケット１６は、留め具５０６のシャフト部５１４が、対応する取付け開口６０２のスロット部分６１０および６１４と嵌合するように、下方に動かされ得る。留め具５０６のシャフト部５１４が取付け開口６０２のスロット部分６１０および６１４内に入ると、次に、留め具５０６はラッチ位置５００に動き、ブラケット１６を支持レール１４の取付け面４４に確実に係止する。
【００６３】
ブラケット１６を留め具５０６から取外すために、留め具５０６はラッチ解除位置５０２に動かされなければならない。ラッチ解除位置５０２において、ブラケット１６は、留め具５０６の頭部５１２が対応する取付け開口６０２の円形部分６１２または丸くされた部分６０８を通って再び容易に嵌合し得るよう、持上げられ得る。ブラケット１６が留め具５０６から取外されると、ブラケット１６は支持レール１４の取付け面４４に固定されていない。
【００６４】
代替的に、取付け開口６０２は、ブラケット１６を取外すために、ブラケット１６を側方または下方にスライドするように、サイズおよび形状が決められる。
【００６５】
図１１は、支持レール１４、ブラケット１６の一部、ラッチ位置５００にある留め具ア
センブリ４５２および４５４を有する留め具ユニット４５０、および閉じた位置５４０にある取外しハンドル５２４の断面図である。図１１は、各留め具５０６のシャフト部５１４が、支持レール１４内のレール開口７００を通って嵌合し、かつ、弾性部分５１０が止め５０８と支持レール１４との間に位置付けられていることを示す。この設計により、留め具５０６は、支持レール１４に対してスライドすることができる。図１１はまた、取外しシャフト５２２が、支持レール１４の上部４８内の上方シャフト開口７０２と、支持レール１４の底部５０内の下方のシャフト開口７０４とを通って嵌合することを示す。この設計により、取外しシャフト５２２は、支持レール１４、ならびに留め具アセンブリ４５２および４５４に対して上下にスライドすることができる。図１１はまた、取外しハンドル５２４が、支持レール１４の上部４８の対向する面に位置付けられていることを示す。
【００６６】
留め具アセンブリ４５２および４５４がラッチ位置５００にあると、取外しシャフト５２２の溝５３２および５３４が各留め具５０６の止め５０８に隣接して位置付けられ、弾性部分５１０が止め５０８を溝５３２および５３４内に促し、留め具５０６の頭部５１２が支持レール１４の取付け面４４に対してブラケット１６を密着させて引寄せ、ブラケット１６を支持レール１４に固定することに注目されたい。
【００６７】
図１２は、支持レール１４、ブラケット１６の一部、ラッチ解除位置５０２にある留め具アセンブリ４５２および４５４を有する留め具ユニット４５０、および開いた位置５４２にある取外しハンドル５２４の断面図である。図１２は、取外しハンドル５２４が取外しコネクタ５２６を中心として回転することにより、カム領域５５０が支持レール１４の上部４８と係合し、カム取外しシャフト５２２を支持レール１４ならびに留め具アセンブリ４５２および４５４に対して上方に動かすことを示す。図１２はまた、取外しシャフト５２２を上方に動かすことにより、取外しシャフト５２２が止め５０８を少なくとも部分的に溝５３２および５３４から変位させることを示す。留め具アセンブリ４５２および４５４の各々について、このことは、留め具５０６を半径方向に動かし、弾性部分５１０を圧縮する。
【００６８】
留め具アセンブリ４５２および４５４がラッチ解除位置５０２にあると、止め５０８は取外しシャフト５２２の溝５３２および５３４内に完全には位置付けられず、弾性部分５１０の付勢力を圧倒して、留め具５０６の頭部５１２はブラケット１６と間隔があいて、ブラケット１６から離れて位置付けられる。この位置で、ブラケット１６を上方にスライドさせて、留め具アセンブリ４５２および４５４から取外すことができる。
【００６９】
この明細書に示された設計により、目的を十分に達成して、この明細書において上で述べた利点を十分にもたらすことができるが、それが単に、この発明の現時点で好ましい実施例の例示にすぎないこと、および、前掲の請求項で述べられた以外は、この明細書に示された構成または設計の詳細に対していかなる限定も意図されないことを理解されるべきである。
【図面の簡単な説明】
【００７０】
【図１】この発明の特徴を有する記憶システムの斜視図である。
【図２】記憶システムの一部の正面平面図である。
【図３】この発明の特徴を有する記憶システムの部分分解図である。
【図４】この発明の特徴を有する、支持レール、ブラケット、および記憶装置の斜視図である。
【図５】図４の支持レール、ブラケット、および記憶装置の分解図である。
【図６】この発明の特徴を有する複数の留め具ユニットの斜視図である。
【図７】ラッチ位置にある、図６の留め具ユニットの１個の斜視図である。
【図８】ラッチ解除位置にある、図６の留め具ユニットの１個の斜視図である。
【図９】この発明の特徴を有する２個の留め具の一部およびブラケットの斜視図である。
【図１０】図９のブラケットを約９０°回転させた斜視図である。
【図１１】支持レール、ブラケットの一部、ラッチ位置にある留め具を有する留め具ユニット、および閉じた位置にある取外しハンドルの断面図である。
【図１２】支持レール、ブラケットの一部、ラッチ解除位置にある留め具を有する留め具ユニット、および開いた位置にある取外しハンドルの断面図である。
【符号の説明】
【００７１】
１０  記憶システム、１２  ハウジング、１４  支持レール、１６  ブラケット、１８
流体源、２０  電源、２２  コントローラ、２４  記憶装置、２６  係止システム。
【図１】
2009076195.tif 000003
【図２】
2009076195.tif 000004
【図３】
2009076195.tif 000005
【図４】
2009076195.tif 000006
【図５】
2009076195.tif 000007
【図６】
2009076195.tif 000008
【図７】
2009076195.tif 000009
【図８】
2009076195.tif 000010
【図９】
2009076195.tif 000011
【図１０】
2009076195.tif 000012
【図１１】
2009076195.tif 000013
【図１２】
2009076195.tif 000014